(57)【特許請求の範囲】
【請求項１】
複数のブロックを組み合わせてなる組立式工具保持装置であって、
前記ブロックは、
一端面及び他端面が正多角形であり、少なくとも３つの側面を有する角柱をなし、
前記一端面から前記他端面まで貫通し、工具を保持する貫通孔が形成されており、
第１の側面に前記一端面から他端面に亘って外方に突出した係合凸部が形成され、
第２の側面に前記一端面から他端面に亘って内方に窪み、前記係合凸部と係合する係合凹部が形成され、
前記第１の側面及び第２の側面以外に平面である側面を少なくとも１つは有しており、
前記各ブロックが、前記係合凸部及び前記係合凹部を係合させることで組み立てられていることを特徴とする組立式工具保持装置。
【請求項２】
前記ブロックは、さらに前記一端面から他端面に亘って内側に窪み、前記係合凸部と係合する第２の係合凹部が形成された第３の側面を備え、
前記第１の側面、前記第２の側面、及び前記第３の側面以外に平面である側面を少なくとも１つは有していることを特徴とする請求項１記載の組立式工具保持装置。
【請求項３】
前記ブロックは、前記一端面及び他端面が正方形であり、４つの側面を有する四角柱であることを特徴とする請求項１又は２記載の組立式工具保持装置。
【請求項４】
前記ブロックは、前記一端面及び他端面が正六角形であり、６つの側面を有する六角柱であることを特徴とする請求項１又は２記載の組立式工具保持装置。
【請求項５】
複数のブロックを組み合わせてなる工具ホルダであって、
前記ブロックは、
一端面から他端面まで貫通し工具を保持する貫通孔が形成されており、
少なくとも３つの側面を有し、
第１の側面に前記一端面から他端面に亘って外方に突出した係合凸部が形成され、
第２の側面に前記一端面から他端面に亘って内方に窪み、前記係合凸部と係合する係合凹部が形成され、
前記第１の側面及び第２の側面以外の面が曲面であり、
前記各ブロックの前記係合凸部及び前記係合凹部を係合させることで組み立てられ、
当該ブロックを所定数組み合わせることで全体として円筒形状に形成可能であることを特徴とする組立式工具保持装置。
【請求項６】
前記係合凸部の表面に係止突起部が形成され、
前記係合凹部の表面に前記係止突起部と対応した係止穴が形成され、
前記係止突起部が前記係合凹部の表面を摺動して前記係止穴に嵌め込まれることで係合凸部及び係合凹部との係合を固定することを特徴とする請求項１から５のいずれかに記載の組立式工具保持装置。
【請求項７】
前記ブロックに前記貫通孔が１つのみ形成されていることを特徴とする請求項１から６のいずれかに記載の組立式工具保持装置。
【請求項８】
前記ブロックに前記貫通孔が２つのみ形成されていることを特徴とする請求項１から６のいずれかに記載の組立式工具保持装置。
【発明の詳細な説明】
【技術分野】
【０００１】
本発明は、複数のブロックを組み合わせてなる組立式工具保持装置に関する。
【背景技術】
【０００２】
一般にＬ字状をなす六角レンチ（六角棒スパナ）等のように棒状部分を有し複数のサイズからなる工具は、当該工具を保持する孔を複数有した保持装置等を用いることで、まとめて保管されている（特許文献１参照）。
また、ドリルやエンドミル等の工具（ツール）は、工具を立てるための盲穴を端面に有するブロックを複数組み合わせた組立式ツールスタンド等もある（特許文献２参照）。
【先行技術文献】
【特許文献】
【０００３】
【特許文献１】特表２００２−５１８１９０号公報
【特許文献２】実開昭６１−１２６８８号公報
【発明の概要】
【発明が解決しようとする課題】
【０００４】
しかしながら、上記特許文献１に開示された技術では、保持装置に保持できる工具の数が、当該保持装置に形成されている孔の数に制限されており、工具を追加する際には保持装置自体を新たに追加しなければならない。また工具を減らした場合には孔が余ってしまい余分なスペースが生じるという問題がある。
また、特許文献２に開示された技術は、機械的強度を高めるために組み立てたブロックの周面に枠体を設けているが、当該枠体を構成するブロックは盲穴を有するブロックとは別形状をなし、当該枠体を配置する分、部品点数が増加し、且つ保持装置全体として大型化するという問題がある。一方で、枠体がなければ、保持装置の周面に係止手段である凸部や凹部が現れ、これらの凹凸が工具使用時に引っ掛かる等の安全性を害するという問題がある。
【０００５】
本発明はこのような問題を解決するためになされたもので、その目的とするところは、六角レンチのような棒状の工具に対し、当該工具のサイズ及び数等の必要に応じ、安全性を確保しつつ最適な構成で当該工具を保持することのできる組立式工具保持装置を提供することにある。
【課題を解決するための手段】
【０００６】
上記した目的を達成するために、請求項１の組立式工具保持装置では、複数のブロックを組み合わせてなる工具ホルダであって、前記ブロックは、一端面及び他端面が正多角形であり、少なくとも３つの側面を有する角柱をなし、前記一端面から前記他端面まで貫通し、工具を保持する貫通孔が形成されており、第１の側面に前記一端面から他端面に亘って外方に突出した係合凸部が形成され、第２の側面に前記一端面から他端面に亘って内方に窪み、前記係合凸部と係合する係合凹部が形成され、前記第１の側面及び第２の側面以外に平面である側面を少なくとも１つは有しており、前記各ブロックが、前記係合凸部及び前記係合凹部を係合させることで組み立てられていることを特徴としている。
【０００７】
請求項２の組立式工具保持装置では、請求項１において、前記ブロックは、さらに前記一端面から他端面に亘って内側に窪み、前記係合凸部と係合する第２の係合凹部が形成された第３の側面を備え、前記第１の側面、前記第２の側面、及び前記第３の側面以外に平面である側面を少なくとも１つは有していることを特徴としている。
請求項３の組立式工具保持装置では、請求項１又は２において、前記ブロックは、前記一端面及び他端面が正方形であり、４つの側面を有する四角柱であることを特徴としている。
請求項４の組立式工具保持装置では、請求項１又は２において、前記ブロックは、前記一端面及び他端面が正六角形であり、６つの側面を有する六角柱であることを特徴としている。
請求項５の組立式工具保持装置では、複数のブロックを組み合わせてなる工具ホルダであって、前記ブロックは、一端面から他端面まで貫通し工具を保持する貫通孔が形成されており、少なくとも３つの側面を有し、第１の側面に前記一端面から他端面に亘って外方に突出した係合凸部が形成され、第２の側面に前記一端面から他端面に亘って内方に窪み、前記係合凸部と係合する係合凹部が形成され、前記第１の側面及び第２の側面以外の面が曲面であり、前記各ブロックの前記係合凸部及び前記係合凹部を係合させることで組み立てられ、当該ブロックを所定数組み合わせることで全体として円筒状に形成可能であることを特徴としている。
【０００８】
請求項６の組立式工具保持装置では、請求項１から５のいずれかにおいて、前記係合凸部の表面に係止突起部が形成され、前記係合凹部の表面に前記係止突起部と対応した係止穴が形成され、前記係止突起部が前記係合凹部の表面を摺動して前記係止穴に嵌め込まれることで係合凸部及び係合凹部との係合を固定することを特徴としている。
請求項７の組立式工具保持装置では、請求項１から６のいずれかにおいて、前記ブロックに前記貫通孔が１つのみ形成されていることを特徴としている。
請求項８の組立式工具保持装置では、請求項１から６のいずれかにおいて、前記ブロックに前記貫通孔が２つのみ形成されていることを特徴としている。
【発明の効果】
【０００９】
上記手段を用いる本発明の組立式工具保持装置によれば、一端面から他端面まで貫通し工具を保持する貫通孔が形成され、側面に係合凸部及び係合凹部が１つずつ形成されたブロック同士を組み合わせることで、工具の種類、数、配置等の必要に応じた最適な構成の工具保持装置を自由に形成することができる。
また、当該係合凸部及び係合凹部はブロックの一端面から他端面に亘って延びており、且つ工具を保持する貫通孔も一端面から他端面に貫通していることから、各ブロックを組み合わせる際に一端面と他端面とを入れ替えるように逆転させることで係合凸部及び係合凹部の向きを容易に変えることができる。これにより、その他の側面が平面や曲面であるブロックであっても、様々な組み合わせの工具保持装置を構成することができる。特に、凹凸のない平面や曲面である側面を工具保持装置の周面に位置するよう組み立てることで、周面に枠体等を設けることなく、安全性を確保することができる。
【図面の簡単な説明】
【００１０】
【図１】本発明に係る組立式工具保持装置の第１実施形態におけるブロックの斜視図である。
【図２】本発明に係る組立式工具保持装置の第１実施形態における工具を保持した状態のブロックの斜視図である。
【図３】本発明に係る組立式工具保持装置の第１実施形態における各ブロックの上面視図（ａ）及びブロックの組み合わせの例を示した上面視図（ｂ）（ｃ）である。
【図４】本発明に係る組立式工具保持装置の第２実施形態における各ブロックの上面視図（ａ）及びブロックの組み合わせの例を示した上面視図（ｂ）（ｃ）である。
【図５】本発明に係る組立式工具保持装置の第３実施形態におけるブロックの組み合わせの例を示した上面視図（ａ）（ｂ）である。
【図６】本発明に係る組立式工具保持装置の第４実施形態におけるブロックの斜視図である。
【図７】本発明に係る組立式工具保持装置の第５実施形態におけるブロックの組み合わせの例を示した斜視図（ａ）、ブロックの斜視図（ｂ）、及びの組み合わせの例を示した上面視図（ｃ）である。
【図８】本発明に係る組立式工具保持装置の第６実施形態におけるブロックの組み合わせの例を示した斜視図である。
【発明を実施するための形態】
【００１１】
以下、本発明の実施の形態を図面に基づき説明する。
まず第１実施形態について説明する。
図１から図３を参照すると、図１には本発明に係る組立式工具保持装置の第１実施形態におけるブロックの斜視図、図２には工具を保持した状態のブロックの斜視図、図３には各ブロックの上面視図（ａ）及びブロックの組み合わせの例を示した上面視図（ｂ）（ｃ）が、それぞれ示されている。
【００１２】
図１に示すブロック１は工具ホルダ（組立式工具装置）を構成する一部品である。図示の通り当該ブロック１は直方体形状をなしており、一端面２から他端面４に貫通した貫通孔６が形成されている。
そして、当該ブロック１の４つの側面のうちの１つである第１の側面８には、幅方向中央位置おいて一端面２から他端面４に亘って延び、且つ外方に突出した係合凸部１０が形成されている。当該係合凸部１０は、上面視において外方に拡がった台形形状をなしている。
【００１３】
また、４つの側面のうちの１つである第２の側面１２には、幅方向中央位置おいて一端面２から他端面４に亘って延び、且つ内方に窪んだ係合凹部１４が形成されている。当該係合凹部１４は、上面視において内方に拡がった台形状をなしている。上記係合凸部１０及び係合凹部１４の形状は対応しており、係合凹部１４に他のブロック１の係合凸部１０を挿入し、縦方向に摺動させることで係合可能である。係合凸部１０及び係合凹部１４は台形状をなしていることで、係合状態で側方側に外れることはない。
【００１４】
一方、４つの側面のうち第１の側面８及び第２の側面１２以外の第３の側面１６及び第４の側面１８はそれぞれ凹凸のない平面をなしている。
このように構成されたブロック１は、図２に示すように、例えば六角レンチ等の棒状部分を有する工具２０を貫通孔６に挿入することで、当該工具２０を保持することが可能である。
【００１５】
続いて図３に示すように、ブロック１は、貫通孔６の径に応じて種類が分かれており、本実施形態では、径が１０ｍｍ、８ｍｍ、６ｍｍ、４ｍｍの貫通孔６ａ〜６ｄを１つ備えたブロック１ａ〜１ｄと、３ｍｍ及び２ｍｍの２つの貫通孔６ｅ、６ｆを備えたブロック１ｅの５種類のブロックがある。
これらのブロック１ａ〜１ｅの係合凸部１０及び係合凹部１４を係合させることで、工具ホルダが組み立てられている。
【００１６】
例えば、図３（ｂ）の組立式工具ホルダ２２ａは、１０ｍｍ、８ｍｍ、６ｍｍ、４ｍｍのブロック１ａ〜１ｄをそれぞれ１つずつ用い、各ブロック１の係合凸部１０を他のブロック１の係合凹部１４に係合させて組み立てられている。このような構成の当該工具ホルダ２２ａには種類の異なる４つの工具を保持させることが可能である。
また、この場合、各ブロック１の係合凸部１０及び係合凹部１４の全てが係合状態になり、組み立てられた工具ホルダ２２の周面は平面である各ブロック１の第３の側面１６及び第４の側面１８のみとなり、工具ホルダ２２の周面には全く凹凸が存在しないこととなる。
【００１７】
新たにブロック１を追加する場合には、４つのブロック１ａ〜１ｄのうちいずれか１つのブロック１の一端面２と他端面４を入れ替えるように逆転させて係合凸部１０及び係合凹部１４の向きを変更することで、工具ホルダ２２の周面に係合凸部１０を位置させ、当該係合凸部１０に新たなブロック１の係合凹部１４を係合させればよい。
また、他の組み合わせ例として、図３（ｃ）の工具ホルダ２２ｂは、貫通孔６の径が１０ｍｍのブロック１ａ、８ｍｍのブロック１ｂ、４ｍｍのブロック１ｄ、３ｍｍ及び２ｍｍのブロック１ｅがそれぞれ１つ、６ｍｍのブロック１ｃが２つ、合計６つのブロック１から形成されている。詳しくは、当該工具ホルダ２２ｂは、３ｍｍ及び２ｍｍのブロック１ｅから、４ｍｍのブロック１ｄ、６ｍｍのブロック１ｃ、第１の８ｍｍのブロック１ｂ、１０ｍｍのブロック１ａ、第２の８ｍｍブロック１ｂの順に、それぞれの係合凸部１０が相手の係合凹部１４に係合されている。このような構成の当該工具ホルダ２２ｂには７つの工具を保持させることが可能である。
【００１８】
また、当該図３（ｃ）に示す組み合わせの工具ホルダ２２ｂの場合、この状態から３ｍｍ及び２ｍｍのブロック１ｅまたは第２の８ｍｍブロック１ｂに新たなブロックを追加することが可能である。
以上のように、本実施形態における工具ホルダ２２は、係合凸部１０及び係合凹部１４を１つずつ有するブロック１同士を組み合わせることで、工具の種類、数、配置等の必要に応じた最適な構成の工具保持装置を自由に形成することができる。
【００１９】
また、当該係合凸部１０及び係合凹部１４はブロック１の一端面２から他端面４に亘って延びており、且つ工具を保持する貫通孔６も一端面２から他端面４に貫通していることから、各ブロック１を組み合わせる際に一端面２と他端面４とを入れ替えるように逆転させることで容易に係合凸部１０及び係合凹部１４の向きを変えることができる。これにより、第３の側面１６及び第４の側面１８が平面である当該第１実施形態のブロック１であっても、様々な組み合わせの工具ホルダ２２を構成することができる。そして、当該ブロック１の第３の側面、第４の側面は平面であることで、組立後の工具ホルダの周面の凹凸を最小限に抑えることができる。これにより、当該工具ホルダ２２は、周面に枠体等を設けることなく最小限の構成でありながから、作業時の引っ掛かり等のない安全性を確保した形状とすることができる。
【００２０】
次に第２実施形態について説明する。
図４を参照すると、第２実施形態における各ブロックの上面視図（ａ）及びブロックの組み合わせの例を示した上面視図（ｂ）（ｃ）が示されており、以下同図に基づき説明する。
図４（ａ）に示すように、第２実施形態における各ブロック３０は、第１の側面に係合凸部３２、第２の側面に係合凹部３４が形成されていることに加えて、第３の側面に係合凹部３６が形成されている。そして、当該第１〜第３の側面以外の第４の側面は平面である。
【００２１】
つまり、第２実施形態におけるブロック３０は、１つの係合凸部３２と、第１の係合凹部３４及び第２の係合凹部３６の２つの係合凹部３４、３６を備えている。そして、本実施形態では第１実施形態と同様に径の異なる貫通孔３８ａ〜３８ｆを備えた５種類のブロック３０ａ〜３０ｅがある。
このような構成のブロック３０ａ〜３０ｅの場合、図４（ｂ）に示すように、それぞれの係合凸部３２を第２の係合凹部３６に係合させていくことで、３つのブロック３０ａ〜３０ｃを上面視において直線上に組み合わせたコンパクトな形状の工具ホルダ４０ａを形成することができる。
【００２２】
また、図４（ｃ）に示すように、貫通孔３８の径が第１実施形態の組み合わせと同様である合計６つのブロック３０ａ〜３０ｅを組み合わせた工具ホルダ４０ｂを形成することも可能である。
以上のように、第２実施形態における工具ホルダは、第１実施形態の効果に加えて、直線上の組み合わせも可能となり、組み合わせのバリエーションを増やすことができる。
【００２３】
次に第３実施形態について説明する。
図５を参照すると、第３実施形態におけるブロックの組み合わせの例を示した上面視図（ａ）（ｂ）が示されている。
当該第３実施形態における工具ホルダ５０は、第１実施形態で示した係合凸部１０及び係合凹部１４をそれぞれ１つ有するブロック１ａ〜１ｅと、第２実施形態で示した１つの係合凸部３２及び２つの係合凹部３４、３６のブロック３０ａ〜３０ｅを用いて組み合わせた構成をなしている。
【００２４】
図５（ａ）では、貫通孔３８の径が第１実施形態の図３（ｃ）及び第２実施形態の図４（ｃ）で示した組み合わせと同様である６つのブロック１ａ、１ｂ、１ｄ、１ｅ、３０ｂ、３０ｃを組み合わせた工具ホルダ５０ａが示されている。同図に示すように、四隅に第１実施形態におけるブロック１ａ、１ｂ、１ｄ、１ｅが配置され、一側のブロック１ａ、１ｂと他側のブロック１ｄ、１ｅとの間に第２実施形態におけるブロック３０ｂ、３０ｃが配置されている。このような構成により工具ホルダ５０ａの周面に全く凹凸のない組み合わせとすることができる。
【００２５】
また、図５（ｂ）では、８つのブロック１ａ、１ａ、１ｂ、１ｃ、１ｅ、３０ａ、３０ｂ、３０ｂ、３０ｃを組み合わせた工具ホルダ５０ｂが示されている。当該工具ホルダ５０ｂについても、同図に示すように、四隅に第１実施形態におけるブロック１ａ、１ａ、１ｃ、１ｄが配置されており、当該各ブロック１ａ、１ａ、１ｃ、１ｄの間に第２実施形態におけるブロック３０ａ、３０ｂ、３０ｂ、３０ｃが配置されている。そして、中央位置には第１実施形態におけるブロック１ｂが配置されている。なお中央位置には第２実施形態におけるブロック３０を配置しても構わない。
【００２６】
このように、係合凸部１０及び係合凹部１４をそれぞれ１つ有するブロック１と、１つの係合凸部３２と２つの係合凹部３４、３６を有するブロック３０とを組み合わせることで、ブロック１、３０を２列以上配列する工具ホルダ５０とすることで、周面を全て凹凸のない平面で構成した組み合わせを必ず形成することができる。
次に第４実施形態について説明する。
【００２７】
図６を参照すると、第４実施形態におけるブロックの斜視図が示されている。
図６に示すように、第４実施形態におけるブロック６０は、主な構成が第１実施形態のブロック１と同様であるが、ブロック６０の係合凸部６２の表面中央部には係止突起部６４が形成されている。また、係合凹部６６の表面には、幅方向中央部に一端面から他端面に亘って延びる溝部６８が形成されており、当該溝部６８の中央部に係止突起部６４と対応した係止穴７０が形成されている。
【００２８】
このような構成のブロック６０は、組み立ての際、係合凸部６２及び係合凹部６６を係合させるべく、係止突起部６４を溝部６８に通しつつ係合凸部６２を係合凹部６６に挿入して摺動させる。そして、係止突起部６４を係止穴７０に嵌め込むことで係止される。このように係止突起部６４及び係止穴７０が係止された後は、係合凸部６２及び係合凹部６６の摺動方向に一定の力がかからなければ外れず、ブロック６０間の係合を固定することができる。これにより当該ブロック６０を用いて組み立てられた工具ホルダは工具をより安定的に保持することができる。
【００２９】
次に第５実施形態について説明する。
図７を参照すると、第５実施形態におけるブロックの組み合わせの例を示した斜視図（ａ）、ブロックの斜視図（ｂ）、及び上面視図（ｃ）が示されている。
図７（ａ）に示すように、第５実施形態における工具ホルダ８０ａは、全体として中空の略円筒形状をなしている。
【００３０】
詳しくは、当該工具ホルダ８０ａは、上面視略扇形のブロック８２が円上に７つ並んで構成されている。各ブロック８２には一端面から他端面に貫通した貫通孔８４が１つまたは２つ形成されている。例えば本実施形態では、径が１４ｍｍ、１２ｍｍ、１０ｍｍ、８ｍｍ、６ｍｍの貫通孔８４ａ〜８４ｅを１つ備えた５つのブロック８２ａ〜８２ｅと、径が４ｍｍ及び３ｍｍ、並びに２ｍｍ及び１ｍｍのそれぞれ２つの貫通孔８４ｆ〜８４ｉを備えた２つのブロック８２ｆ、８２ｇとから形成されている。
【００３１】
個別のブロック８２の構成については、図７（ｂ）に１４ｍｍの貫通孔８４ａを備えるブロック８２ａが示されている。図示のように、当該ブロック８２ａは、組立状態で互いに当接する第１の側面８６に係合凸部８８及び第２の側面９０に係合凹部９２が形成されている。そして、組立状態で工具ホルダ８０の外周をなす第３の側面９４及び内周をなす第４の側面９６には凹凸のない曲面をなしている。他のブロック８２の側面も同様の構成をなしており、これらのブロック８２を図７（ａ）のように組み立てることで周面に全く凹凸のない工具ホルダ８０ａを形成することができ、上記各実施形態と同様の効果を得られる。
【００３２】
一方、図７（ａ）の組み合わせから１つおきにブロック８２の一端面及び他端面を逆転させて係合し直すことで、図４（ｃ）に示すように、上面視において周面が波形をなし、直線上に延びた形状の工具ホルダ８０ｂを形成することも可能である。当該構成であれば、工具の増加に合わせて容易にブロック８２を追加していくことができる。
次に第６実施形態について説明する。
【００３３】
図８を参照すると、第６実施形態におけるブロックの組み合わせの例を示した斜視図が示されている。
図８に示すように、第５実施形態における工具ホルダ１００は、六角柱のブロック１０４が組み合わされた構成をなしている。具体的には、径が１０ｍｍ、８ｍｍ、６ｍｍ、４ｍｍの貫通孔１０２ａ〜１０２ｄを１つ備えた４種類のブロック１０４ａ〜１０４ｄから構成されている。
【００３４】
そして、各ブロック１０４は、６つの側面のうち第１の側面１０６に係合凸部１０８、第２の側面１１０に第１の係合凹部１１２、及び第３の側面１１４に第２の係合凹部１１６が形成され、その他の第４〜６の側面１１８、１２０、１２２は平面をなしている。
このような構成のブロック１０４の係合凸部１０８及び係合凹部１１４、１１６を係合させて組み合わせることで上記各実施形態同様の効果を得ることができる。
【００３５】
以上で本発明に係る組立式工具保持装置の実施形態についての説明を終えるが、実施形態は上記実施形態に限られるものではない。
例えば、上記実施形態において、工具ホルダを形成するブロックの数や組み合わせは当該実施形態に挙げたものに限られるものではなく、自由に構成することができる。また上記実施形態における貫通孔は、径が１０ｍｍ〜１ｍｍの円孔であり、１つのブロックに１つまたは２つ形成されているが、貫通孔の径や形状、形成される数等、上記実施形態のものに限られるものではない。例えば、１０ｍｍより大径、１ｍｍより小径の貫通孔や、六角レンチの断面に合わせて断面六角形状の貫通孔、貫通孔が１つのブロックに３つ以上形成されていても構わない。
【００３６】
また、上記実施形態では保持する工具として、六角レンチを想定しているが、工具はこれに限られるものではなく、貫通孔に挿入して保持可能な工具、例えばドライバー等にも適用可能である。
また、上記実施形態ではブロックは直方体や略扇形をなしているが、ブロックの形状はこれに限られるものではなく、少なくとも３つの側面を有した形状であればよく、例えば三角柱等のブロックでも構わない。
【００３７】
また、上記第４実施形態におけるブロック６０の係止突起部６４及び係止穴７０は、第１実施形態のブロック１の係合凸部及び係合凹部に設けた構成であるが、他の実施形態におけるブロックに設けることも可能である。
また、上記第５実施形態における円筒形状の工具ホルダ８０ａは７つのブロック８２から構成されているが、当該ブロックの数はこれに限られるものではなく、予め設定された所定数のブロックを組み合わせることで構成されるものであればよい。
【符号の説明】
【００３８】
１、３０、６０、８２、１０４  ブロック
６、３８、８４、１０２  貫通孔
８、８６、１０６  第１の側面
１０、３２、６２、８８、１０８  係合凸部
１２、９０、１１０  第２の側面
１４、３４、６６、９２、１１２  係合凹部（第１の係合凹部）
１６、９４、１１４  第３の側面
１８、９６、１１８  第４の側面
２０  工具
２２、４０、５０、８０、１００  工具ホルダ（組立式工具保持装置）
３６、１１６  第２の係合凹部
６４  係止突起部
７０  係止穴
１２０  第５の側面
１２２  第６の側面
【図１】
0005285039.tif 000002
【図２】
0005285039.tif 000003
【図３】
0005285039.tif 000004
【図４】
0005285039.tif 000005
【図５】
0005285039.tif 000006
【図６】
0005285039.tif 000007
【図７】
0005285039.tif 000008
【図８】
0005285039.tif 000009